(57)【特許請求の範囲】
【請求項１】
ハウジングと、
ハウジング内に配置されており、限度内で往復動するようになった、ガイド及び支持部品を持つ、一定の設定荷重を発生させるためのブッシュと、
このブッシュ内に配置されており、その自重の作用で前記ガイド内で自由落下して衝突荷重を発生するようになった、眼瞼で覆われた眼球を変形させる自由落下体形態の部材と、
前記ブッシュの内側の上部分内に配置された、前記眼球変形部材を初期上位置に保持するためのホルダと、
前記変形部材の前記ブッシュ内側での下非作用位置用のストップ部材である下ガイドと、
前記変形部材の線型変位の計測トランスフォーマーとを含む、眼内圧力計測装置において、
前記ブッシュの前記支持部品には、丸味を付けた支持端部を持つ二つの突出部が設けられており、これらの突出部は、前記自由落下体の変位軸線から７−１０ｍｍの等距離のところに配置されている、ことを特徴とする装置。
【請求項２】
前記ブッシュの前記支持部品の前記突出部は楔状であり、前記突出部の互いに向き合った作用面は、前記自由落下体の変位軸線に対して１０−３０°の傾斜角度を有する、ことを特徴とする請求項１に記載の装置。
【請求項３】
前記ブッシュの前記支持部品の前記突出部の互いに向き合った作用面は、４−６ｍｍの高さ、４−６ｍｍの幅、及び２−３ｍｍの丸味を付けた支持端部の半径を有する、ことを特徴とする請求項１に記載の装置。
【請求項４】
前記ブッシュの前記支持部品の前記突出部の互いに向き合った作用面は、凹状形態を有する、ことを特徴とする請求項１に記載の装置。
【請求項５】
前記ブッシュの前記支持部品は、眼瞼区分表面に適用するための部材を有し、この部材は衝突荷重中に前記自由落下体と接触し、前記初期位置において前記眼瞼区分表面と前記自由落下体のベースとの間の距離を一定にするため、前記自由落下体のベース面と平行である、ことを特徴とする請求項１に記載の装置。
【請求項６】
眼瞼区分表面に適用するための部材は、衝突荷重中に自由落下体と接触し、高さが２−３ｍｍの環状突出部の形態を有し、その作用押圧ベースが前記ブッシュの前記支持部品の前記突出部の前記ベースから３−５ｍｍの高さのところに配置されている、ことを特徴とする請求項５に記載の装置。
【請求項７】
前記ブッシュの前記支持部品は、前記環状突出部と前記楔状突出部との間の突き当たり作用面に凹所を有する、ことを特徴とする請求項１又は２に記載の装置。
【請求項８】
前記ブッシュの前記支持部品は、本体の落下中にブッシュから空気を抜くためのチャンネルを有する、ことを特徴とする請求項１に記載の装置。
【請求項９】
前記支持ブッシュの外側の前記ブッシュの壁には空気を抜くためのチャンネルが設けられており、これらのチャンネルは前記ブッシュの内側に連結されている、ことを特徴とする請求項１に記載の装置。
【請求項１０】
前記変形部材は、変位制限部材を持つロッドの形態を備えている、ことを特徴とする請求項１に記載の装置。
【請求項１１】
前記ロッド変位制限部材は、前記ロッドに同軸に連結された円筒体形態を有する、ことを特徴とする請求項１０に記載の装置。
【請求項１２】
衝突荷重中に眼瞼と接触する前記ロッドの端部の長さは３ｍｍ以上であり、面積が１−７ｍｍの平らなベースを有する、ことを特徴とする請求項１１に記載の装置。
【請求項１３】
前記ロッドホルダは、前記ロッドの前記上端を捕捉するための穴を持ち、ピンと相互作用するためのスプレーが側面に設けられ、前記ハウジングの前記壁に固定された水平ばねプレートキャッチの形態を有し、前記ロッドの前記上端は、前記プレートキャッチと相互作用するためのストップ部材を有し、前記ピンは、前記ハウジングが前記ブッシュに対して下方に変位する際に前記プレートキャッチを水平方向に変位させる駆動装置として役立つ、ことを特徴とする請求項１０に記載の装置。
【請求項１４】
眼球変形部材の前記線型変位の計測トランスフォーマーは、前記ガイド間で前記ブッシュに固定された電磁コイルに接続された発電機、及びデータ処理装置を含み、前記ロッド変位制限手段は、電磁コイルのコアとして役立つ、ことを特徴とする請求項１０に記載の装置。
【請求項１５】
前記装置は、前記ブッシュを前記ハウジング内で前記初期位置に固定するためのばねボタン形態を持つ手段を含み、その押圧部分は、前記ブッシュの前記外面と相互作用できるハウジング壁の穴内に配置されている、ことを特徴とする請求項１に記載の装置。
【発明の詳細な説明】
【０００１】
【発明の属する技術分野】
本発明は医学に関し、更に詳細には眼科学に関し、緑内障の母集団の集団検診中、その治療の正しさのチェック中、及び眼球麻酔を用いない眼内圧力の個々の制御中、眼球の角膜領域及び強膜領域の両方の眼内圧力（ＩＯＰ）を本発明の方法によって眼瞼を通して計測するために使用できる。
【０００２】
【従来の技術】
眼内圧力計測方法は周知であり、環状支持部品を持つ支持体の重量によって眼球を静的に変形させ、１２０−１５０ｍｍの高さから自由落下する０．３−０．７ｇのボールによって眼瞼を通して眼球の角膜を動的に変形し、ボールの一回目の跳ね返りによって圧力の量を決定する（ＲＵ  ２００７９５１，Ｃ１．Ａ６１Ｂ  ３／１６，  ２９．０６．９０）。
【０００３】
上述の方法での計測精度は、個々の眼瞼構造及び特徴（眼瞼の厚さ、弾性、等）に大きく左右される。
ボールと眼瞼及び眼球との相互作用のスクゥエア（ｓｑｕａｒｅ）は、患者の眼瞼及び眼球の弾性の特徴に応じて異なる。上述の方法は、眼瞼の衝撃−吸収特徴の差の影響を除外しない。
【０００４】
環状支持体を使用することは、支持体と眼球との眼瞼を通した相互作用場所で眼瞼衝撃−吸収をなくさず、計測中に装置と眼球との安定した確実な相互作用を提供しない。
【０００５】
眼圧計、即ち眼内圧力を計測し表示するためのインジケータが周知である。このインジケータは、ハウジング、目盛り、及び眼瞼で覆われた角膜を変形させるボール形態の手段を含む。角膜変形手段は、透明な作用部品を持つ（チューブ状）ハウジング内に配置されており、ハウジング内で自由落下でき、ハウジングの上部分に固定されたホルダによって上非作用状態に保持される。ハウジングは、更に、ボールの下位置を制限するため、ハウジングの下部分に固定されたストップ部材を含む（ＲＵ  ２００７９５１，Ｃ１．Ａ６１Ｂ  ３／１６，  ２９．０６．９０）。
【０００６】
眼圧計の環状支持部品による眼瞼の変形は、設定された場所での眼瞼の衝撃−吸収をなくさない。この眼圧計では、支持体の眼球との連結の剛性を提供しない。
【０００７】
ハウジングと、このハウジング内に配置され、限度内で往復動するようになっており、ガイド及び一定の設定荷重を発生するための支持部品を持つブッシュと、眼瞼で覆われた眼球を変形する、ブッシュ内に配置された、衝撃荷重を発生するためその自重によりガイド内で落下するようになった手段と、変形部材を初期上非作用位置に保持するための、ブッシュの内側の上部分に配置されたホルダとを含み、下ガイドがブッシュの内側で変形部材の下位置用のストップ部材であり、更に、変形部材の線型変位の計測トランスフォーマーを含む眼内圧力計測装置が周知である（ＲＵ  ２０９９０００，Ｃ１．Ａ６１Ｂ  ３／１６，  ２０．１２．９７）。
【０００８】
落下ロッドを使用することにより計測眼内圧力の精度が高くなる。これは、眼瞼で覆われた眼球を変形させるためのそのベースの面積が小さいためである。
しかしながら、環状支持部品は、眼瞼で覆われた眼球との装置の連結の剛性を提供せず、眼瞼の衝撃−吸収をなくさない。
【０００９】
かくして、全ての周知の装置において、環状支持部分によって眼瞼を変形させても眼瞼の自己吸収特徴の影響はなくならず、これにより眼内圧力の計測精度が低下する。
【００１０】
環状支持体の面積が大きいため、支持体を眼瞼の小さな軟骨区分に置くことができない。
【００１１】
【発明が解決しようとする課題】
本提案が目的とする技術的結果は、眼瞼の自己吸収の影響をなくすことによって、及び軟骨領域で眼内圧力を計測する際に支持重量による眼瞼の静的変形のため支持部分と眼瞼で覆われた眼球との連結剛性を高めることによって、眼内圧力の計測精度を高くすることである。
【００１２】
本発明の別の目的は、眼瞼で覆われた眼球の動的変形が行われる眼瞼表面と初期位置におけるロッドベースとの間の距離を一定に維持することである。
【００１３】
【課題を解決するための手段】
技術的結果を達成するため、眼瞼を通して眼内圧力を計測する方法を提供する。この方法は、眼瞼を支持荷重によって静的に変形させると同時に、支持体に対して自由に落下する本体によって眼球を眼瞼を通して動的に変形させる工程と、眼球の弾性変形量を決定する工程とを含み、支持荷重による眼瞼の静的変形は、支持体の二つの突出部によって軟骨領域で行われる。二つの突出部は、自由落下体の変位軸線から７ｍｍ乃至１０ｍｍの等距離のところに配置されており、支持体の下の眼瞼の自己吸収を減少する。
【００１４】
有利には、本方法は、この眼瞼区分の縁部を眼球に押し付けてこの区分の表面を自由落下体のベース平面と平行にし、その表面と自由落下体のベースとの間の初期位置での距離を一定にすることによって、眼瞼で覆われた眼球の動的変形が行われる眼瞼区分を静的に更に変形させる。
【００１５】
有利には、眼瞼で覆われた眼球表面の弾性変形量は、自由落下体の変位の時間関数のパラメータから決定される。
好ましくは、計測中、１−７ｍｍ２ の面積を持つロッド形態の自由落下体の平らなベースによって眼瞼で覆われた眼球を動的に変形する。
【００１６】
技術的結果を得るため、ハウジング内に配置されており、限度内で往復動するようになった、ガイド及び支持部品を持つ、一定の設定荷重を発生させるためのブッシュと、このブッシュ内に配置されており、その自重の作用でガイド内で自由落下して衝突荷重を発生するようになった、眼瞼で覆われた眼球を変形させる自由落下体形態の部材と、ブッシュの内側の上部分内に配置された、眼球変形部材を初期上位置に保持するためのホルダと、ブッシュ内側での眼球変形部材の下非作用位置用のストップ部材である下ガイドと、変形ブッシュの線型変位の計測トランスフォーマーとを含み、ブッシュの支持部品には、丸味を付けた支持端部を持つ二つの突出部が設けられており、これらの突出部は、自由落下体の変位軸線から７−１０ｍｍの等距離のところに配置されている、眼内圧力計測装置が提供される。
【００１７】
好ましくは、ブッシュの支持部品の突出部は楔状であり、突出部の互いに向き合った作用面は、自由落下体の変位軸線に対して１０−３０°と等しい傾斜角度を有する。
【００１８】
有利には、ブッシュの支持部品の突出部の互いに向き合った作用面は、５−１０ｍｍの高さ、４−６ｍｍの幅、及び２−３ｍｍの丸味を付けた支持端部の半径を有する。
【００１９】
有利には、ブッシュの支持部品の突出部の互いに向き合った作用面は、凹状形態を有する。
好ましくは、ブッシュの支持部品は、眼瞼区分表面に適用するための部材を有し、この部材は衝突荷重中に自由落下体と接触し、初期位置において眼瞼区分表面と自由落下体のベースとの間の距離を一定にするため、自由落下体のベース面と平行である。
【００２０】
有利には、眼瞼区分表面に適用するための部材は、衝突荷重中に自由落下体と接触し、高さが２−３ｍｍの環状突出部の形態を有し、その作用押圧ベースがブッシュの支持部品の突出部のベースから３−５ｍｍの高さのところに配置されている。
【００２１】
有利には、ブッシュの支持部品は、環状突出部と楔状突出部との間の突き当たり作用面に凹所を有する。
有利には、ブッシュの支持部品は、本体の落下中にブッシュから空気を抜くためのチャンネルを有する。
【００２２】
有利には、支持ブッシュの外側のブッシュの壁には空気を抜くためのチャンネルが設けられており、これらのチャンネルはブッシュの内側に連結されている。
好ましくは、変形部材は、変位制限部材を持つロッドの形態を備えている。
【００２３】
有利には、ロッド変位制限部材は、ロッドに同軸に連結された円筒体形態を有する。
有利には、衝突荷重中に眼瞼と接触するロッドの端部の長さは３ｍｍ以上であり、面積が１−７ｍｍの平らなベースを有する。
【００２４】
有利には、ロッドホルダは、ロッドの上端を捕捉するための穴を持ち、ピンと相互作用するためのスプレーが側面に設けられ、ハウジングの壁に固定された水平ばねプレートキャッチの形態を有し、ロッドの上端は、プレートキャッチと相互作用するためのストップ部材を有し、ピンは、ハウジングがブッシュに対して下方に変位する際にプレートキャッチを水平方向に変位させる駆動装置として役立つ、ことを特徴とする請求項１４に記載の装置。
【００２５】
好ましくは、眼球変形部材の線型変位の計測トランスフォーマーは、ガイド間でブッシュに固定された電磁コイルに接続された発電機、及びデータ処理装置を含み、ロッド変位制限手段は、電磁コイルのコアとして役立つ。
【００２６】
有利には、装置は、ブッシュをハウジング内で初期位置に固定するためのばねボタンを持つ手段を含み、その押圧部分は、ブッシュの外面と相互作用できるハウジング壁の穴内に配置されている。
【００２７】
小さなベース領域を持つ突出部を備えた支持部分を使用することにより、支持体が設定場所で眼瞼に及ぼす荷重を大きくでき、眼瞼を押してその自己吸収をなくすことができ、計測中、装置の支持部分を眼瞼で覆われた眼球に関してしっかりと連結することができる。
【００２８】
眼瞼で覆われた眼球の軟骨領域に支持突出部を配置することによって、突出部の下の眼球の変形をなくす。
本提案を添付図面に示す。
【００２９】
【発明の実施の形態】
提案の装置を用いて眼内圧力を以下の方法で計測する。即ち、装置を患者の眼瞼に垂直に置き（図６参照）、装置支持体を眼球にしっかりと連結するため、二つの点（Ａ及びＢ）に当てた二つの楔状突出部によって眼瞼の軟骨領域を通して眼球に作用を及ぼす（図４参照）。これらの楔状突出部は、落下体の変位軸線から７ｍｍ乃至１０ｍｍの等距離のところに水平眼球経線と平行に且つ眼球中心を通る軸線（図５参照）から対称に配置されている。
【００３０】
ベース面積が小さい支持体突出部によって、眼瞼で覆われた眼球の軟骨領域に作用を及ぼすことにより、眼瞼の自己吸収をなくす。眼内圧力の計測中（図６参照）、ロッド形態の自由落下体により眼瞼及び眼球（予め設定された患者の視角に応じて強膜領域又は角膜領域）を時間の関数として動的に変形し、その変位により眼内圧力について判断が下される。
【００３１】
眼内圧力を計測するための装置は、ハウジング１及びこのハウジング内に配置されたブッシュ２を含む。このブッシュは、一定の荷重を発生するため、限度内で（回転運動なしで）垂直方向に往復動するようになっている。眼瞼で覆われた眼球を変形させる部材は、変位制限部材４を備えたロッド３の形態を有する。眼瞼で覆われた眼球を変形させる部材を初期位置に保持するためのホルダ５は、ブッシュの内側の上部分に配置されている。ロッド３用の第１ガイド６は、ブッシュの壁に設置されたワッシャの形態を有する。ロッド３用の第２ガイド７は、詳細には、ブッシュ２と一部品で形成されている。ブッシュ２の支持部品８は、例えばねじによってブッシュ２の下部に固定されている。
【００３２】
計測トランスフォーマーは、発電機９、この発電機９に接続されたデータ処理装置１０、及びガイド６と７との間でブッシュ２に固定された電磁コイル１１の形態を有する。ロッド変位制限手段４は、鉄材料又は真鍮でできており、ブッシュ２の内側に配置されており、初期位置ではコイル１１よりも上方の位置に位置決めされており、このコイルのコアとして役立つ。手段４について、ロッド３の落下中にコイル１１のインダクティビティ（ｉｎｄｕｃｔｉｖｉｔｙ）を変化させる他の材料を使用してもよい。
【００３３】
ロッド３は、ガイド６、７の穴内に０．０５ｍｍ乃至０．１ｍｍの隙間で設置されており、これにより、ロッド３は、装置が垂直方向軸線に沿って一方の方向（ブッシュ２の支持部品８が下にあり、ロッドがホルダ５内に初期位置で固定されている作用位置）に配向されているとき、自重によりブッシュ２の内側で落下でき、他方の方向（計測後にロッド３を初期位置まで戻すとき）に移動できる。
【００３４】
ロッド３のホルダ５は、初期位置では、ロッド３の上端を捕捉する穴（円錐形）を持ち且つ側面にスプレー１２を持つプレートキャッチの形態を有する。ハウジング１に固定されたピン１３は、ハウジング１の下方への移動中にピン１３がスプレー表面に沿って垂直方向下方に変位するときにばねプレートキャッチ５を水平方向に変位させるのに役立つ。
【００３５】
ロッド３の上端には、ロッド３をプレートキャッチ５の穴に確実に固定するためのストップ部材１８が設けられている。
ブッシュ２の支持部品８には、支持端部に丸味を付けた二つの楔状突出部１９が形成されており、これらの突出部は、ロッド３の変位軸線から等距離ｌ４ ＝７−１０ｍｍのところに配置されている。
【００３６】
好ましくは、ブッシュ２の支持部品８に設けられた突出部１９は楔状であり、これらの突出部の互いに向き合った作用面は詳細には凹状形態を有し、自由落下体の変位軸線に対して１０−３０°の傾斜角度を有し、ｌ２ ＝５−１０ｍｍの高さを有し、ｌ５ ＝４−６ｍｍの幅を有し、丸味を付けた支持端部の半径はＲ＝２−３ｍｍである。
【００３７】
突出部１９は、これらの突出部が眼瞼に配置された箇所に基本的静荷重を発生させる。これらの突出部は、支持体が眼瞼に及ぼす基本的なおおよその荷重を、突出部１９のベースのところで眼瞼の自己吸収をなくすのに十分にできる形態を有する。
【００３８】
ロッド３が初期位置にある場合に眼球に作用する支持体の荷重（Ｐ）には、支持部品８を備えた移動ブッシュ２の重量及び部材４を備えたロッドの重量が含まれる。
【００３９】
この荷重（Ｐ、ｇ）、突出部１９の幅（ｌ５ 、ｍｍ）、及び丸味を付けた支持端部の半径（Ｒ、ｍｍ）は、以下のように相関する。
【００４０】
【数１】
0003593314.tif 000002
【００４１】
相関の下限値は、支持部品８の突出部１９のベースのところで眼瞼の自己吸収をなくす程度によって制限され、上限値は、眼球の変形に及ぼされる荷重の影響によって制限される。即ち、眼球の変形の値が大きいと眼内圧力の計測の精度が低下する。
【００４２】
ブッシュ２の支持部品８は、衝撃荷重中に自由落下体３と接触する眼瞼区分表面に適用し、自由落下体のベース表面と平行にするための部材を有するのがよい。これは、初期位置において、眼瞼区分表面と自由落下体３のベースとの間の距離を一定にするためである。
【００４３】
眼瞼区分に適用するための部材は、環状突出部２０の形態を持ち、幅ｄ＝０．５−１ｍｍであり、高さｌ２ ＝２−３ｍｍである。この部材の作用押圧ベースは、ブッシュ２の支持部品に設けられた突出部１９のベースから高さｌ１ ＝３−５ｍｍのところに配置されている。環状突出部２０の外径（ｄ２ ）は、支持部品８の内側の直径（ｄ１ ）よりも大きい。
【００４４】
部材２０は、眼瞼で覆われた眼球をロッド３によって変形させる眼瞼区分面積を制限するが、部材２０は眼球を変形しない。これにより、初期位置において、眼球及び眼瞼の様々な解剖学的構造について、ロッド３の端部１７の平面と眼瞼表面との間の距離が常に一定に維持される。これは、眼瞼を平らにし、眼球が環状突出部２０の下で変形しないようにするために行われる。
【００４５】
落下体の落下中にブッシュから空気を追い出すため、ブッシュ２の支持部品８には、ブッシュ２の内側に連結されたチャンネル２１（減圧通孔の形態のチャンネル）が設けられている。
【００４６】
計測中に支持重量（支持部品８を含むブッシュ２及びロッド３）の大部分を突出部１９の下の眼瞼に集中するため、ブッシュ２の支持部品８には、突出部１９と部材２０との間の表面に凹所２２が設けられている。ブッシュ２の支持部品８の前記表面全体が窪みをなしている。
【００４７】
ハウジング１は、装飾的ブッシュ２４によってハウジング１にしっかりと接合された（取り外し自在の）保護ケーシング２３内に配置されているのがよい。保護ケーシング２３及びハウジング１は、検査が行われる組織上に配置されたブッシュ２に対し、穴１５内でのピン１６の変位限度内で往復動できるように取り付けられている。
【００４８】
更に、装置には、ブッシュ２をハウジング１内で初期位置に固定（クランプ）するための手段が設けられている。この固定手段は、プレート２５によってばね作用が加えられるボタン２６の形態を備えているのがよい。ボタン２６の制動部品２７はハウジング１の壁の穴内に配置されており、ブッシュ２の外面と相互作用する。ばねボタン２６を押すと、ブッシュ２が下位置に保持され、この際、ロッド３は、装置を患者の眼瞼上に置いた状態で保護ケーシング２３（及びハウジング１）を支持部品８とともに上方に引っ繰り返すことによって初期位置に配置される。
【００４９】
有利には、ブッシュ２の壁には、ロッド３の変位中に空気を逃がすためのチャンネル２８（穴の形態のチャンネル）が設けられている。
本装置は以下の通りに機能する。患者の頭部を仰向けにして置く。眼球を軟骨領域で変形させるため、患者の視認方向を水平方向に対して約４５°（或いは、眼球の角膜中央をロッド３によって眼瞼を通して変形させるため、９０°）の角度に設定する。これは、例えば患者の手をガイドラインとして使用することによって行われる。
【００５０】
眼内圧力を計測するための装置を、ロッド３が誤った時期に初期位置から外れることができないようにボタン２６を押した状態で、そのケーシング２３によって保持しながら、可動ブッシュ２の支持部品８を、上眼瞼の軟骨３０の領域３０（図４参照）に眼球中心に対して対称な突出部１９によって、上眼瞼２９の区分上に置く。可動ブッシュ２の軸線は垂直であり、眼球中心を通過する。
【００５１】
追加の環状突出部２０は、眼瞼が落下ロッド３のベースと出会う場所で眼瞼に適用される。眼球及び眼瞼の様々な解剖学的構造について、ロッド３の自由落下高さを等しくする必要がある。
【００５２】
次いで、ボタン２６を放した後、保護ケーシング２３を下方に移動する。プレートキャッチ５が可動ブッシュ２の内側で水平に変位し、ストップ部材１８を自由にし、ロッド３がガイド６及び７内で、検査を受ける患者の眼球上に自由落下する。ケーシング２３の下方への移動中、ピン１６が穴１５の中間に置かれている場合にロッド３が自由にされる。これは、眼瞼で覆われた眼球に装置が及ぼす静荷重によって行われる。この状態では、ケーシング２３及びハウジング１が眼球に及ぼす圧力が除外される。保護ケーシング２３の下方への移動中にピン１３の位置が変化するため、プレートキャッチ５の変位が生じる。落下中、ロッド３のベースが眼瞼及び眼球を変形し、その後、後方に跳ね返る。
【００５３】
ロッド３に設けられた部材４は、下方への移動中（ロッド３の落下中）及び上方への移動中（ロッド３の跳ね返り中）、電磁コイル１１のインダクティビティを変化させ、これにより発電機９の周波数を変化させる。この周波数変化は、データ処理装置１０及びトランスフォーマーによって、可動ブッシュ２に対するロッド３の変位の値に対して時間中に固定される。受け取られたロッド変位の時間関数を図７に示す。部分１は、ロッド３の自由落下及びその前方への移動中の眼瞼及び軟骨を通した眼球とのその相互作用と対応し、部分２はその跳ね返り中である。眼内圧力の値は、例えば第１跳ね返りの振幅Ａから、又は眼球の最大変形と対応する点Ｂに対する加速度から決定でき、変位関数の第１最小値として決定できる。或いは、眼内圧力の量は、別の周知の関数処理方法で決定できる。
【００５４】
次の計測を行うための装置の準備は以下のように行われる。支持部品８を下方に向けた状態で装置をケーシング２３によって保持しながら、ボタン２６を押し、装置を引っ繰り返して支持部品８を上方に向ける。ロッド３が自重の作用で移動し、そのストップ部材１８がプレートキャッチ５と係合し、固定される。
【００５５】
次いで、装置を初期位置（支持部品８を下方に向けた）に戻す。
産業上の適用範囲
本発明の装置は、眼内圧力の計測値をｍｍＨｇの単位で±０．６ｍｍＨｇの精度で提供する。計測時間は３秒以下である。
【００５６】
本手順は無痛であり、眼の麻酔を必要とせず、全ての年令の子供について眼内圧力を計測できる。これは、緑内障の件数が成人の間ばかりでなく子供の間でも増大していることと関連して非常に重要である。
【００５７】
計測時に強膜領域を変形させることができるため、例えば角膜の病理又は角膜形成術の場合に、本発明による方法及び装置を使用することの可能性を大幅に拡げることによって、眼内圧力の計測プロセスを簡単にする。
【００５８】
本発明による方法及び装置は、計測中に眼球の粘膜との直接的な接触がないことにより、感染症を媒介する危険を除外できる。
本発明による方法及び装置は、同じ患者について眼内圧力を２４時間中に何回も計測できる。これは、選択された緑内障治療方法の正しさをチェックする上で非常に重要であり、その有効性を大幅に高めることができる。
【００５９】
本発明の構造が簡単であるため、適切な価格で製造でき、病院ばかりでなく家庭でも簡単に使用できる。
ここに提案された技術的決定により、眼内圧力の計測精度を高めることができる。これは、眼瞼の自己吸収が減少し、治療中に眼内圧力の変化を監視できるためである。以下に比較のための表を掲示する。この表は、本装置の周知の装置に対する利点を示す。
【００６０】
【表１】
0003593314.tif 000003
【図面の簡単な説明】
【図１】眼内圧力計測装置の概略断面図である。
【図２】ブッシュの支持部分の部分図である。
【図３】ブッシュの支持部分の突出部の形態を示す図２の側面図である。
【図４】軟骨領域上での装置の配置の一例を示す図である。
【図５】支持体を眼球に関してしっかりと連結するための装置の配置を示す図である。
【図６】患者に作用を及ぼす際の装置の配置を示す図である。
【図７】
ロッドの変位の時間関数のグラフである。
【符号の説明】
１  ハウジング
２  ブッシュ
３  ロッド
４  変位制限部材
５  ホルダ
６  第１ガイド
７  第２ガイド
８  支持部品
９  発電機
１０  データ処理装置
１１  電磁コイル
【図１】
0003593314.tif 000004
【図２】
0003593314.tif 000005
【図３】
0003593314.tif 000006
【図４】
0003593314.tif 000007
【図５】
0003593314.tif 000008
【図６】
0003593314.tif 000009
【図７】
0003593314.tif 000010